(57)【要約】【課題】漏洩防止作用を顕著に改善することが可能な管内面補修継手を提供すること。【解決手段】本発明は、一側管体と他側管体とを接続する管継手において、一側管体の外面から他側管体の外面に至るように配置される側面視Ｃ字状のゴムリングと、前記ゴムリングの一側端部の外側面上に載置される、一側ハウジングと、前記ゴムリングの他側端部の外側面上に載置される、他側ハウジングと、前記一側ハウジングの他側端部と前記他側ハウジングの一側端部とを結合する端部結合部材と、前記一側ハウジングの一側端部から前記他側ハウジングの他側端部に至るまでの前記ゴムリングの外側面上に載置される、複数の中間ハウジングと、前記一側ハウジングの一側端部、各中間ハウジングの各端部、前記他側ハウジングの他側端部のうちの隣接する２つの端部を間隙調整可能に結合する間隙調整結合部材と、を備えたことを特徴とする管継手である。【選択図】図６
2014214758.tif 000002
【特許請求の範囲】
【請求項１】
一側管体と他側管体とを接続する管継手において、
一側管体の外面から他側管体の外面に至るように配置される側面視Ｃ字状のゴムリングと、
前記ゴムリングの一側端部の外側面上に載置される、一側ハウジングと、
前記ゴムリングの他側端部の外側面上に載置される、他側ハウジングと、
前記一側ハウジングの他側端部と前記他側ハウジングの一側端部とを結合する端部結合部材と、
前記一側ハウジングの一側端部から前記他側ハウジングの他側端部に至るまでの前記ゴムリングの外側面上に載置される、複数の中間ハウジングと、
前記一側ハウジングの一側端部、各中間ハウジングの各端部、前記他側ハウジングの他側端部のうちの隣接する２つの端部を間隙調整可能に結合する間隙調整結合部材と、
を備えたことを特徴とする管継手。
【請求項２】
前記ゴムリングの一側端部には、一側フランジ部が設けられており、
前記ゴムリングの他側端部には、他側フランジ部が設けられており、
前記一側ハウジングの他側端部と前記他側ハウジングの一側端部とが端部結合部材によって結合される際に、前記一側フランジ部と前記他側フランジ部とは液密に密着するようになっている
ことを特徴とする請求項１に記載の管継手。
【請求項３】
前記ゴムリングは、内面側に凹部を有する断面を有している
ことを特徴とする請求項１または２に記載の管内面補修継手。
【請求項４】
前記ハウジングの各々は、前記ゴムリングの外側面上に載置される、側面視円弧状の載置面を有している
ことを特徴とする請求項１乃至３のいずれかに記載の管内面補修継手。
【請求項５】
前記ハウジングの各々は、前記ゴムリングの両方の側方面の少なくとも一部を覆う形状を有している
ことを特徴とする請求項１乃至４のいずれかに記載の管内面補修継手。
【請求項６】
前記一側ハウジングと前記他側ハウジングとは、鏡像対称な形状を有している
ことを特徴とする請求項１乃至５のいずれかに記載の管内面補修継手。
【請求項７】
前記複数の中間ハウジングは、互いに同一の形状を有している
ことを特徴とする請求項１乃至５のいずれかに記載の管内面補修継手。
【請求項８】
前記一側ハウジングと前記他側ハウジングとを結合した時の側面視の円弧形状の長さは、前記中間ハウジング一つの側面視の円弧形状の長さと、略等しい
ことを特徴とする請求項７に記載の管内面補修継手。
【請求項９】
前記中間ハウジングの数は、１１である
ことを特徴とする請求項８に記載の管内面補修継手。
【請求項１０】
前記中間ハウジングの数は、２３である
ことを特徴とする請求項８に記載の管内面補修継手。
【請求項１１】
一側管体と他側管体とを接続する管継手において、
一側管体の外面から他側管体の外面に至るように配置される側面視円弧状の複数のゴムリング要素と、
前記ゴムリング要素の各々の一側端部の外側面上に載置される、一側ハウジングと、
前記ゴムリング要素の各々の他側端部の外側面上に載置される、他側ハウジングと、
前記一側ハウジングの各々の他側端部と前記他側ハウジングの各々の一側端部とを結合する端部結合部材と、
前記一側ハウジングの一側端部から前記他側ハウジングの他側端部に至るまでの前記ゴムリング要素の外側面上に載置される、複数の中間ハウジングと、
前記一側ハウジングの一側端部、各中間ハウジングの各端部、前記他側ハウジングの他側端部のうちの隣接する２つの端部を間隙調整可能に結合する間隙調整結合部材と、
を備えたことを特徴とする管継手。
【発明の詳細な説明】
【技術分野】
【０００１】
本発明は、管端を接続するための管継手に関する。
【背景技術】
【０００２】
管端を接続する管継手としては、ハウジング形管継手が知られている。例えば、図１２に示すハウジング形管継手は、一対の円弧状継手セグメント１，２と、それぞれ周方向溝３を有する２つの管４，５の端部を収容するために各円弧状継手セグメントに形成された空間６と、当該空間６内に２つの管４，５の端部をシールするように設けられる弾性リング７と、前記空間６の両側で半径方向内方に延びて２つの管４，５の各周方向溝３に係合する２つの締付部８，９と、一対の継手セグメント１，２を互いに結合するための取付手段１０と、から形成されている。
【０００３】
このようなハウジング形管継手では、一対の円弧状継手セグメント１，２の空間６，６に配置される弾性リング７が、２つの管４，５の端部外周面に圧接することによって、２つの管４，５の端部をシールすることができる。また、各継手セグメント１，２に設けられた締付部８，９を２つの管４，５の端部に設けられた周方向溝３の底部に圧接することによって、２つの管４，５を円弧状継手セグメント１，２に固定することができる。
【先行技術文献】
【特許文献】
【０００４】
【特許文献１】特開平１１−２４１７９４
【発明の概要】
【発明が解決しようとする課題】
【０００５】
しかしながら、前記したハウジング形管継手は、一対の円弧状継手セグメント１，２の形状が固定であるために、管が変形等して管の断面形状が真円から大きく逸れてしまっている場合に、各円弧状セグメントを管上に沿うように取り付けることが難しく、結果的に漏洩防止の効果が十分に得られないことがあった。
【課題を解決するための手段】
【０００６】
本発明は、以上のような問題点に着目し、これを有効に解決すべく創案されたものである。本発明の目的は、管が変形等して管の断面形状が真円から大きく逸れてしまっている場合であっても、漏洩防止作用を確実に発揮することが可能な管継手を提供することにある。
【０００７】
本発明は、一側管体と他側管体とを接続する管継手において、一側管体の外面から他側管体の外面に至るように配置される側面視Ｃ字状のゴムリングと、前記ゴムリングの一側端部の外側面上に載置される、一側ハウジングと、前記ゴムリングの他側端部の外側面上に載置される、他側ハウジングと、前記一側ハウジングの他側端部と前記他側ハウジングの一側端部とを結合する端部結合部材と、前記一側ハウジングの一側端部から前記他側ハウジングの他側端部に至るまでの前記ゴムリングの外側面上に載置される、複数の中間ハウジングと、前記一側ハウジングの一側端部、各中間ハウジングの各端部、前記他側ハウジングの他側端部のうちの隣接する２つの端部を間隙調整可能に結合する間隙調整結合部材と、を備えたことを特徴とする管継手である。
【０００８】
本発明によれば、管継手のハウジングを構成する部材が、一側ハウジングと、他側ハウジングと、複数の中間ハウジングと、に分離されて構成されているため、管が変形等して管の断面形状が真円から大きく逸れてしまっている場合であっても、ハウジングの各々を管上に沿うように取り付けることが可能であり、結果として漏洩防止作用を確実に発揮することができる。
【０００９】
好ましくは、前記ゴムリングの一側端部には、一側フランジ部が設けられており、前記ゴムリングの他側端部には、他側フランジ部が設けられており、前記一側ハウジングの他側端部と前記他側ハウジングの一側端部とが端部結合部材によって結合される際に、前記一側フランジ部と前記他側フランジ部とは液密に密着するようになっている。この場合、漏洩防止作用をより確実に保証することができる。
【００１０】
また、好ましくは、前記ゴムリングは、内面側に凹部を有する断面を有している。この場合、当該凹部内に、一側管体と他側管体との接続部材（例えば締結ボルト）を収容することができる。
【００１１】
また、好ましくは、前記ハウジングの各々は、前記ゴムリングの外側面上に載置される、側面視円弧状の載置面を有している。そのような載置面によって、管の断面形状が真円に近い場合に管上に沿った取り付けが実現される一方で、管が変形等して管の断面形状が真円から大きく逸れてしまっている場合であっても、ハウジングの各々が少なくとも４つに分離していることによって、やはり管上に沿うように取り付けることが可能である。
【００１２】
また、好ましくは、前記ハウジングの各々は、前記ゴムリングの両方の側方面の少なくとも一部を覆う形状を有している。この場合、ハウジングの各々によってゴムリングを効果的に保護することができる。
【００１３】
また、好ましくは、前記一側ハウジングと前記他側ハウジングとは、鏡像対称な形状を有している。このような場合、それらハウジングの製造コストや組立作業の容易性において優れる。
【００１４】
また、好ましくは、前記複数の中間ハウジングは、互いに同一の形状を有している。このような場合、それらハウジングの製造コストや組立作業の容易性において優れる。この場合、前記一側ハウジングと前記他側ハウジングとを結合した時の側面視の円弧形状の長さが、前記中間ハウジング一つの側面視の円弧形状の長さと、略等しいことが更に好ましい。この場合、管が変形等して管の断面形状が真円から大きく逸れてしまっている場合に，管上に沿ったハウジングの各々の取り付けをバランスよく実現することができる。この場合、中間ハウジングの数が、１１や２３等（４ｎ＋３（ｎは自然数））であれば、バランスが極めて良好である。
【００１５】
本発明において、ゴムリングは、側面視Ｃ字状である場合に限られず、側面視円弧状の複数のゴムリング要素が連結される態様が採用されてもよい。すなわち、本発明は、一側管体と他側管体とを接続する管継手において、一側管体の外面から他側管体の外面に至るように配置される側面視円弧状の複数のゴムリング要素と、前記ゴムリング要素の各々の一側端部の外側面上に載置される、一側ハウジングと、前記ゴムリング要素の各々の他側端部の外側面上に載置される、他側ハウジングと、前記一側ハウジングの各々の他側端部と前記他側ハウジングの各々の一側端部とを結合する端部結合部材と、前記一側ハウジングの一側端部から前記他側ハウジングの他側端部に至るまでの前記ゴムリング要素の外側面上に載置される、複数の中間ハウジングと、前記一側ハウジングの一側端部、各中間ハウジングの各端部、前記他側ハウジングの他側端部のうちの隣接する２つの端部を間隙調整可能に結合する間隙調整結合部材と、を備えたことを特徴とする管継手である。
【００１６】
本発明によっても、管継手のハウジングを構成する部材が、各一側ハウジングと、各他側ハウジングと、複数の中間ハウジングと、に分離されて構成されているため、管が変形等して管の断面形状が真円から大きく逸れてしまっている場合であっても、ハウジングの各々を管上に沿うように取り付けることが可能であり、結果として漏洩防止作用を確実に発揮することができる。
【図面の簡単な説明】
【００１７】
【図１】本発明の第１の実施の形態に係る管継手の側面図である。
【図２】図１に示す管継手のＣ−Ｃ線矢視図である。
【図３】図１に示す管継手のゴムリングを示す側面図及び斜視図である。
【図４】図３のゴムリングへの一側ハウジング及び他側ハウジングの取り付けを説明するための図である。
【図５】図３のゴムリングへの中間ハウジングの取り付けを説明するための図である。
【図６】管体が扁平な場合の図１と同様の図である。
【図７】本発明の第２の実施の形態に係る管継手のゴムリングへの一側ハウジング及び他側ハウジングの取り付けを説明するための図である。
【図８】本発明の第２の実施の形態に係る管継手のゴムリングへの中間ハウジングの取り付けを説明するための図である。
【図９】本発明の第３の実施の形態に係る管継手の側面図である。
【図１０】図９に示す管継手のＡ−Ａ線矢視図である。
【図１１】図９に示す管継手のＣ−Ｃ線矢視図である。
【図１２】従来のハウジング形管継手を示す図である。
【発明を実施するための形態】
【００１８】
以下、本発明を実施の形態に基づいて詳細に説明する。
【００１９】
図１は、本発明の一実施の形態に係る管継手１０の側面図であり、図２は、図１に示す管継手１０のＣ−Ｃ線矢視図である。
【００２０】
図１及び図２に示すように、本発明の一実施の形態による管継手１０は、一側管体５１と他側管体５２とを接続する管継手であって、一側管体５１の外面から他側管体５２の外面に至るように配置される側面視Ｃ字状のゴムリング１１を備えている。ゴムリング１１の一側端部の外側面上には、一側ハウジング２１が載置されており、ゴムリング１１の他側端部の外側面上には、他側ハウジング２２が載置されている。一側ハウジング２１の他側端部と他側ハウジング２２の一側端部とが、端部結合部材としての端部結合ボルト４１によって締結されている。
【００２１】
一側ハウジング２１の一側端部から他側ハウジング２２の他側端部に至るまでのゴムリング１１の外側面上の領域には、複数の中間ハウジング２３〜３３が載置されている。そして、一側ハウジング２１の一側端部、各中間ハウジング２３〜３３の各端部、他側ハウジング２２の他側端部のうちの隣接する２つの端部が、間隙調整機能付きの結合部材４２によって間隙調整可能に結合されている。
【００２２】
図３（ａ）は、図１に示す管継手のゴムリングを示す側面図であり、図３（ｂ）は、図１に示す管継手のゴムリングを示す斜視図である。図３（ａ）及び図３（ｂ）に示すように、ゴムリング１１の一側端部には、一側フランジ部１２が設けられており、ゴムリング１１の他側端部には、他側フランジ部１３が設けられている。そして、一側フランジ部１２と他側フランジ部１３とは液密に密着している。
【００２３】
また、図２及び図３（ｂ）に示すように、ゴムリング１１は、内面側に凹部１４を有する断面を有している。そして、図２に示すように、当該凹部１４内に、一側管体５１のフランジ部と他側管体５２のフランジ部とそれらの接続部材としての締結ボルト５３とが、収容されている。
【００２４】
図４は、図３のゴムリング１１への一側ハウジング２１及び他側ハウジング２２の取り付けを説明するための図であり、図５は、図３のゴムリング１１への中間ハウジング２３〜３４の取り付けを説明するための図である。図１、図４及び図５に示すように、本実施の形態の各ハウジング２１〜３４は、ゴムリング１１の外側面上に載置される載置面が同一曲率の側面視円弧状となっている。本実施の形態では、中央の主たる載置面のみならず、左右（図４及び図５における紙面前後）の側方載置面についても、側面視円弧状となっている。
【００２５】
また、図１、図４及び図５に示すように、ハウジング２１〜３４の各々は、ゴムリング１１の両方の側方面の大部分を覆う形状を有している。また、本実施の形態では、一側ハウジング２１と他側ハウジング２２とは、鏡像対称な形状を有しており、複数の中間ハウジング２３〜３３は、互いに同一の形状を有している。さらに、本実施の形態では、図１に示すように、一側ハウジング２１と他側ハウジング２２とを結合した時の側面視の円弧形状の長さが、中間ハウジング２３〜３３の一つの側面視の円弧形状の長さと、略等しくなっている。
【００２６】
以上のような本実施の形態によれば、管継手１０のハウジングを構成する部材が、一側ハウジング２１と、他側ハウジング２２と、複数の中間ハウジング２３〜３３と、に分離されて構成されているため、管体５１、５２が変形等して管体５１、５２の断面形状が真円から大きく逸れてしまっている場合であっても、ハウジング２１〜３３の各々を管上に沿うように取り付けることが可能であり、結果として漏洩防止作用を確実に発揮することができる。具体的には、図１のように接続対象の管体５１及び５２の断面形状が真円に近い場合だけでなく、図６のように接続対象の管体５１及び５２の断面形状が真円から大きく逸れて扁平になっている場合においても、漏洩防止作用を確実に発揮することができる。
【００２７】
また、本実施の形態によれば、ゴムリング１１の一側フランジ部１２と他側フランジ部１３とが液密に密着していることにより、漏洩防止作用をより確実に保証することができる。
【００２８】
また、本実施の形態によれば、ゴムリング１１が内面側に凹部１４を有する断面を有していることにより、一側管体５１と他側管体５２との接続機構（本実施の形態では、一側管体５１のフランジ部と他側管体５２のフランジ部とそれらの接続部材としての締結ボルト５３）とゴムリング１１との干渉を回避することができる。
【００２９】
また、本実施の形態によれば、ゴムリング１１の外側面上に載置される各ハウジング２１〜３４の載置面が同一曲率の側面視円弧状となっているため、接続対象の管体５１及び５２の断面形状が真円に近い場合に当該管体上に沿った取り付けが実現される一方で、各管体５１及び５２が変形等して各管体５１及び５２の断面形状が真円から大きく逸れてしまっている場合であっても、ハウジング２１〜３４が１３個に分離していることによって、やはり管体上に沿った取り付けが実現されるようになっている。もっとも、各ハウジング２１〜３４の載置面は、側面視円弧状に限定されず、管体５１及び５２の断面形状により良く適合する適宜の形状が採用されてもよいし、ハウジングの数が多ければ、側面視平坦状の形状も採用され得る。また、ハウジングの載置面の形状は、ハウジング毎に異なっていてもよい。
【００３０】
また、本実施の形態によれば、ハウジング２１〜３４の各々がゴムリング１１の両方の側方面の大部分を覆う形状を有しているため、ハウジング２１〜３４の各々によってゴムリング１１が効果的に保護される。
【００３１】
また、本実施の形態では、一側ハウジング２１と他側ハウジング２２とが鏡像対称な形状を有していることにより、それらハウジング２１、２２の製造コストが抑制されている他、組立作業の容易性においても優れている。
【００３２】
また、本実施の形態では、複数の中間ハウジング２３〜３３が互いに同一の形状を有していることにより、それらハウジング２３〜３３の製造コストが抑制されている他、組立作業の容易性においても優れている。さらに、本実施の形態では、図１に示すように、一側ハウジング２１と他側ハウジング２２とを結合した時の側面視の円弧形状の長さが、中間ハウジング２３〜３３の一つの側面視の円弧形状の長さと、略等しくなっていることにより、各管体５１及び５２が変形等して各管体５１及び５２の断面形状が真円から大きく逸れてしまっている場合に、管上に沿ったハウジング２１〜３３の各々の取り付けをバランスよく実現することができる。
【００３３】
以下、以上のような本実施の形態の管継手１０を管体５１及び５２上に組み付ける方法について説明する。
【００３４】
図３（ａ）に示すように、管体５１及び５２上に、切れ目が上方位置にくるような位置姿勢で、側面視Ｃ字状のゴムリング１１が被せられる。
【００３５】
次に、図４（ａ）に示すように、ゴムリング１１の一側端部の外側面上に一側ハウジング２１が載置され、ゴムリング１１の他側端部の外側面上に他側ハウジング２２が載置される。そして、図４（ｂ）に示すように、ゴムリング１１の一側フランジ部１２と他側フランジ部１３とを液密に密着させた状態で、一側ハウジング２１の他側端部と他側ハウジング２２の一側端部とが端部結合ボルト４１によって締結される。
【００３６】
次に、図５に示すように、一側ハウジング２１の一側端部から他側ハウジング２２の他側端部に至るまでのゴムリング１１の外側面上に、複数の中間ハウジング２３〜３４が載置される。この時、一側ハウジング２１の一側端部、各中間ハウジング２３〜３４の各端部、他側ハウジング２２の他側端部のうちの隣接する２つの端部が、間隙調整結合ボルト４２によって互いの間隙を適宜に調整されながら結合される。この間隔調整機能によって、管体５１及び５２が変形等して管体５１及び５２の断面形状が真円から大きく逸れてしまっている場合であっても、管上に沿ってハウジング２１〜３３をバランスよく取り付けていくことができる。
【００３７】
なお、本発明において、ゴムリング１１は、側面視Ｃ字状である場合に限られず、側面視円弧状の複数のゴムリング要素１１ａ、１１ｂが連結される態様が採用されてもよい。このような実施の形態について、図７及び図８を用いて説明する。
【００３８】
図７は、本発明の第２の実施の形態に係る管継手のゴムリングへの一側ハウジング及び他側ハウジングの取り付けを説明するための図であり、図８は、本発明の第２の実施の形態に係る管継手のゴムリングへの中間ハウジングの取り付けを説明するための図である。
【００３９】
本実施の形態の場合には、図７（ａ）に示すように、ゴムリング１１ａ、１１ｂの一側端部の外側面上に一側ハウジング２１ａ、２１ｂが載置され、ゴムリング１１ａ、１１ｂの他側端部の外側面上に他側ハウジング２２ａ、２２ｂが載置される。そして、図７（ｂ）に示すように、ゴムリング１１ａ、１１ｂの一側フランジ部１２ａ、１２ｂと他側フランジ部１３ａ、１３ｂとを液密に密着させた状態で、一側ハウジング２１ａ、２１ｂの他側端部と他側ハウジング２２ａ、２２ｂの一側端部とが端部結合ボルト４１によって締結される。
【００４０】
次に、図８に示すように、一側ハウジング２１ａ、２１ｂの一側端部から他側ハウジング２２ａ、２２ｂの他側端部に至るまでのゴムリング１１ａ、１１ｂの外側面上に、複数の中間ハウジング２３ａ〜２７ａ、２３ｂ〜２７ｂが載置される。この時、一側ハウジング２１ａ、２１ｂの一側端部、各中間ハウジング２３ａ〜２７ａ、２３ｂ〜２７ｂの各端部、他側ハウジング２２ａ、２２ｂの他側端部のうちの隣接する２つの端部が、間隙調整結合ボルト４２によって互いの間隙を適宜に調整されながら結合される。この間隔調整機能によって、管体５１及び５２が変形等して管体５１及び５２の断面形状が真円から大きく逸れてしまっている場合であっても、管上に沿ってハウジング２１ａ、２１ｂ、２２ａ、２２ｂ、２３ａ〜２７ａ、２３ｂ〜２７ｂをバランスよく取り付けていくことができる。
【００４１】
本実施の形態のその他の構成は、図１乃至図６に示した第１の実施の形態と略同様である。本実施の形態によっても、第１の実施の形態と同様の作用効果が得られる。
【００４２】
また、本発明は、接続対象の管体の径が異なっている場合にも適用可能である。例えば、他側管体５２’の径の方が一側管体５１’の径よりも大径である場合の実施の形態について、図９乃至図１１を用いて説明する。
【００４３】
図９は、本発明の第３の実施の形態に係る管継手の側面図である。図１０は、図９に示す管継手のＡ−Ａ線矢視図である。図１１は、図９に示す管継手のＣ−Ｃ線矢視図である。
【００４４】
本実施の形態では、管体５１’及び５２’の各径に適合するべく、図１０及び図１１に示すように、ゴムリング１１’の側部の径方向の長さが、両側部間で異なっており、各ハウジング２１’〜２４’の側部の径方向の長さについても、両側部間で異なっている。また、図９に示すように、本実施の形態の中間ハウジングの数は、２３となっている。
【００４５】
本実施の形態のその他の構成は、図１乃至図６に示した第１の実施の形態と略同様である。本実施の形態によっても、第１の実施の形態と同様の作用効果が得られる。
【符号の説明】
【００４６】
１０  管継手
１１  ゴムリング
１２  一側フランジ
１３  他側フランジ
１４  凹部
２１  一側ハウジング
２２  他側ハウジング
２３〜３４  中間ハウジング
４１  端部結合ボルト
４２  間隔調整機能付き結合ボルト
５１  一側管体
５２  他側管体
１１ａ、１１ｂ  ゴムリング（ゴムリング要素）
２１ａ、２１ｂ  一側ハウジング
２２ａ、２２ｂ  他側ハウジング
２３ａ〜２７ａ、２３ｂ〜２７ｂ  中間ハウジング
１１’  ゴムリング
２１’  一側ハウジング
２２’  他側ハウジング
２３’〜２４’  中間ハウジング
５１’  一側管体
５２’  他側管体
【図１】
2014214758.tif 000003
【図２】
2014214758.tif 000004
【図３】
2014214758.tif 000005
【図４】
2014214758.tif 000006
【図５】
2014214758.tif 000007
【図６】
2014214758.tif 000008
【図７】
2014214758.tif 000009
【図８】
2014214758.tif 000010
【図９】
2014214758.tif 000011
【図１１】
2014214758.tif 000012
【図１２】
2014214758.tif 000013
【図１０】
2014214758.tif 000014